(57)【要約】【課題】  各処理ラインの１つが選択されて、速度指令などが変更された場合にも、各処理ラインの各ライン速度、鋼板各部の張力などを各々、最適化させ、常に高い品質の鋼板を製造する。【解決手段】各制御指令コンソール４１、各材料設定コンソール４２が操作され、新たな運転指示、材料データなどが入力される毎に、各制御装置３０は、予め用意されている複数の制御定数セットの中から、最適な制御定数セットを選択して、各制御ブロック３４，３５，３７の制御定数“１／ＴＩｓ”、“ＴＤｓ”、“Ｋｐ”を切り替えるとともに、１スキャン分だけ遅らせたタイミングで新たな運転指示と、フィードバック信号との偏差演算、制御定数“１／ＴＩｓ”、“ＴＤｓ”、“Ｋｐ”を用いたＰＩＤ演算を行って、制御定数“１／ＴＩｓ”、“ＴＤｓ”、“Ｋｐ”に対応した各駆動電圧などを出力し、鋼板製造ライン１の入側ライン２、中央ライン３、出側ライン４を制御する。【選択図】図２
2014034455.tif 000002
【特許請求の範囲】
【請求項１】
連結された複数の処理ラインを備え、前記処理ライン間に跨って連結された長尺な板状搬送物に対して、前記各処理ライン毎に所定の処理を実行する板状搬送物の連続処理システムにおいて、
前記各処理ライン別に設けられるとともに、入力された運転指示に対応する制御指令を出力する制御指令コンソールと、
前記各処理ライン別に設けられるとともに、夫々が複数の制御定数テーブルを持ち、対応する処理ラインに設けられた前記制御指令コンソールから新たな制御指令が出力される毎に、前記各制御定数テーブルの中から、前記制御指令に対応する１つの制御定数テーブルを選択するとともに、この制御定数テーブルを用いて、各制御ブロックで使用する各制御定数を切り替えた後、これらの制御定数、前記制御指令に対応する駆動電圧を生成し、前記各処理ラインに供給する制御装置と、
を備えたことを特徴とする板状搬送物の連続処理システム。
【請求項２】
請求項１に記載の板状搬送物の連続処理システムにおいて、
前記各制御装置は、いずれかの処理ラインに設けられた前記制御指令コンソールから新たな制御指令が出力される毎に、前記各制御定数テーブルの中から、前記制御指令に対応する１つの制御定数テーブルを選択するとともに、選択された制御定数テーブルを用いて、各制御ブロックで使用する各制御定数を切り替えた後、これらの制御定数、前記制御指令に対応する駆動電圧を生成し、前記各処理ラインに供給する、
ことを特徴とする板状搬送物の連続処理システム。
【請求項３】
請求項１または２に記載の板状搬送物の連続処理システムにおいて、
当該板状搬送物の連続処理システムは鋼板処理システムであり、前記各処理ライン間を搬送される前記板状搬送物としての圧延鋼板に対して、前記各処理ラインにて所定の処理が施されたることを特徴とする板状搬送物の連続処理システム。
【請求項４】
請求項１または２に記載の板状搬送物の連続処理システムにおいて、
当該板状搬送物の連続処理システムは抄紙システムであり、前記各処理ライン間を搬送される前記板状搬送物としての紙に対して前記各処理ラインにて所定の処理が施されることを特徴とする板状搬送物の連続処理システム。
【発明の詳細な説明】
【技術分野】
【０００１】
本発明は、各処理ライン間を搬送される板状搬送物としての圧延鋼板や紙に対して各処理ラインにて所定の処理を施す板状搬送物の連続処理システムに関する。
【背景技術】
【０００２】
例えば、亜鉛メッキ鋼板製造ライン設備などを制御する鋼板処理システムの制御系は、図７に示すように、制御装置１００と、制御指令コンソール１１０と、材料設定コンソール１２０とが制御対象１３０となる亜鉛メッキ鋼板製造ラインの各ライン（入側ライン、中央ライン、出側ライン）毎に設けられ、各ライン別に制御する。
【０００３】
各制御指令コンソール１１０は各々、キーボード、モニタなどを備えており、入側ライン、中央ライン、出側ラインの運転状況を表示するとともに、運転員の指示内容に応じた制御指令を生成し、各制御装置１００に供給する。
【０００４】
各制御装置１００は各々、制御指令コンソール１１０から出力される制御指令と制御特性“Ｇｐ（ｓ）”の制御対象（例えば、亜鉛メッキ鋼板製造ライン）１３０から出力されるフィードバック信号との偏差を演算する減算器１０１と、減算器１０１から出力される偏差信号を取り込み、制御定数“１／ＴＩｓ”で積分演算を行う制御ブロック１０２と、減算器１０１から出力される偏差信号を取り込み、制御定数“ＴＤｓ”で微分演算を行う制御ブロック１０３と、減算器１０１から出力される偏差信号と各制御ブロック１０２，１０３の出力信号とを加算する加算器１０４と、加算器１０４の出力信号を取り込み、制御定数“Ｋｐ”で比例演算を行う制御ブロック１０５とを備えている。
【０００５】
そして、制御指令コンソール１１０から出力される制御指令と、亜鉛メッキ鋼板製造ライン設備の入側ライン、中央ライン、出側ラインから出力される各フィードバック信号との偏差信号を求めるとともに、この偏差信号に対し、各制御ブロック１０２，１０３，１０５に設定されている各制御定数“１／ＴＩｓ”、“ＴＤｓ”、“Ｋｐ”に応じた演算、例えばＰＩＤ演算などを行って、入側ライン用の制御信号（駆動電圧）、中央ライン用の制御信号（駆動電圧）、出側ライン用の制御信号（駆動電圧）を生成し、亜鉛メッキ鋼板製造ライン設備の入側ライン、中央ライン、出側ラインを各々、駆動させ、亜鉛メッキ鋼板を製造する。
【先行技術文献】
【特許文献】
【０００６】
【特許文献１】特開２００６−１７７２４５号公報
【発明の概要】
【発明が解決しようとする課題】
【０００７】
ところで、このような鋼板処理システム鋼板処理システムの制御装置１００では、下記に示す複数の条件を満たすような制御定数“１／ＴＩｓ”、“ＴＤｓ”、“Ｋｐ”を求め、各制御ブロック１０２，１０３，１０５に設定している。
【０００８】
（１）代表的な処理材料、代表的な製品仕様に対し、最適なライン速度となるように、制御定数“１／ＴＩｓ”、“ＴＤｓ”、“Ｋｐ”を設定する。
【０００９】
（２）ライン速度を切り替えたときのラインの張力変動が最小となり、ライン速度切り替え後に、高い安定性を持つように、制御定数“１／ＴＩｓ”、“ＴＤｓ”、“Ｋｐ”を設定する。
【００１０】
（３）ライン速度を加減速させたときにも、高い制御性を維持できるように、制御定数“１／ＴＩｓ”、“ＴＤｓ”、“Ｋｐ”を設定する。
【００１１】
しかしながら、これらの各条件を全て満たすように、制御定数“１／ＴＩｓ”、“ＴＤｓ”、“Ｋｐ”を最適化させるのは、極めて難しく、ラインの安定性を優先すると、処理材料、製品仕様を切り替えたとき、ラインの張力が大きく変動してしまうという問題があった。
【００１２】
本発明は上記の事情に鑑み、例えば、入側ライン、中央ライン、出側ラインの１つが選択されて、速度指令などが変更された場合にも、入側ライン、中央ライン、出側ラインの各ライン速度や板状搬送物の各部の張力などを各々、最適化でき、常に高い品質の製品を製造することができる板状搬送物の連続処理システムを提供することを目的としている。
【課題を解決するための手段】
【００１３】
上記の目的を達成するために本発明は、連結された複数の処理ラインを備え、前記処理ラ間に跨って連結された長尺な板状搬送物に対して、前記各処理ライン毎に所定の処理を実行する板状搬送物の連続処理システムにおいて、前記各処理ライン別に設けられるとともに、入力された運転指示に対応する制御指令を出力する制御指令コンソールと、前記各処理ライン別に設けられるとともに、夫々が複数の制御定数テーブルを持ち、対応する処理ラインに設けられた前記制御指令コンソールから新たな制御指令が出力される毎に、前記各制御定数テーブルの中から、前記制御指令に対応する１つの制御定数テーブルを選択するとともに、この制御定数テーブルを用いて、各制御ブロックで使用する各制御定数を切り替えた後、これらの各制御定数、前記制御指令に対応する駆動電圧を生成し、前記各処理ラインに供給する制御装置と、を備えたことを特徴としている。
【００１４】
また、前記各制御装置は、いずれかの処理ラインに設けられた前記制御指令コンソールから新たな制御指令が出力される毎に、前記各制御定数テーブルの中から、前記制御指令に対応する１つの制御定数テーブルを選択するとともに、この制御定数テーブルを用いて、各制御ブロックで使用する各制御定数を切り替えた後、これらの各制御定数、前記制御指令に対応する駆動電圧を生成し、前記各処理ラインに供給する、ことを特徴としている。
【発明の効果】
【００１５】
本発明に板状搬送物の連続処理システムでは、例えば、鋼板処理システムにおける入側ライン、中央ライン、出側ラインの１つが選択されて、速度指令などが変更された場合にも、入側ライン、中央ライン、出側ラインの各ライン速度や板状搬送物の各部の張力などを各々、最適化でき、常に高い品質の製品を製造することができる。
【図面の簡単な説明】
【００１６】
【図１】本発明による板状搬送物の連続処理システムが適用された鋼板処理システムの実施形態１を示す構成図である。
【図２】図１に示す各制御装置の詳細な回路構成例を示すブロック図である。
【図３】図１に示す各制御装置で使用される定速時の制御定数テーブル、加速時の制御定数テーブル、減速時の制御定数テーブル例を示す模式図である。
【図４】本発明による板状搬送物の連続処理システムが適用された鋼板処理システムの実施形態２を示す構成図である。
【図５】図４に示す各制御指令コンソール、各材料設定コンソール、各制御装置の詳細な回路構成例を示すブロック図である。
【図６】図４に示す各制御装置で使用される定速時の制御定数テーブル、加速時の制御定数テーブル、減速時の制御定数テーブル例を示す模式図である。
【図７】従来の鋼板処理システムにおける制御装置の一例を示すブロック図である。
【発明を実施するための形態】
【００１７】
《実施形態１》
図１は本発明による板状搬送物の連続処理システムが適用された鋼板処理システムの実施形態１を示す構成図である。
【００１８】
始めに、鋼板処理システムの制御対象となる鋼板製造ラインについて説明する。図１に示すように、鋼板製造ライン１は、入側ライン２と、中央ライン３と、出側ライン４とから構成され、入側ライン２と中央ライン３との間にはループカー５が、中央ライン３と出側ライン４との間にはループカー６が夫々設けられている。そして、入側ライン２から搬送された鋼板７は中央ライン３で亜鉛メッキをされた後、亜鉛メッキ鋼板８として出側ライン４に搬送されるようになっている。
【００１９】
入側ライン２は、セットされた鋼板コイル９，１０のいずれか一方を選択し、これが無くなれば、他方を選択するという手法で、鋼板７を連続的に引き出しながら、搬送する複数の搬送ローラ１１、各鋼板７の切り替え時に各鋼板７の繋ぎ目を溶接して、１枚の連続した鋼板１２にする溶接設備１３などによって構成される。
【００２０】
ループカー５は、複数の搬送ローラ１４などによって構成され、入側ライン２から送出される鋼板１２の張力や搬送速度などを調整する。
【００２１】
中央ライン３は、ループカー５から送出される鋼板１２を洗浄する洗浄設備１５、洗浄設備１５で洗浄された鋼板１２を焼き鈍し処理する焼き鈍し炉１６、焼き鈍し炉１６で焼き鈍し処理された鋼板１２を溶融亜鉛槽に漬け、表面に亜鉛をコーティングさせるどぶ漬け設備１７、どぶ漬け設備１７で亜鉛がコーティングされた鋼板１２を加熱して亜鉛と地金とを合金化して亜鉛メッキ鋼板８にする合金化炉１８、合金化炉１８で合金化処理された亜鉛メッキ鋼板８の表面を均す調質圧延設備１９などによって構成される。
【００２２】
ループカー６は、複数の搬送ローラ２０などによって構成され、中央ライン３から送出される亜鉛メッキ鋼板８の張力や搬送速度などを調整する。
【００２３】
出側ライン４は、複数の搬送ローラ２１、複数の巻取電動機２２などによって構成され、各巻取電動機２２を交互に動作させて、ループカー６から送出される亜鉛メッキ鋼板８を巻き取って、亜鉛メッキ鋼板ロール２３を製造する。
【００２４】
鋼板製造ライン１の入側ライン２、中央ライン３、出側ライン４には、それぞれ制御装置３０と、制御指令コンソール４１と、材料設定コンソール４２とが設けられている。
【００２５】
各制御指令コンソール４１は、キーボード、モニタなどを備え、運転員の指示内容に応じた速度指令などの制御指令を出力する。各材料設定コンソール４２は、キーボード、モニタなどを備え、運転員の操作内容に応じた材料データなどを出力する。
【００２６】
各制御装置３０は、制御指令コンソール４１から出力される制御指令、材料設定コンソール４２から出力される材料データなどに対応した最適な運転パターン（制御定数セット）を選択するとともに、この運転パターンに応じた駆動電圧などを出力して、鋼板製造ライン１の入側ライン２、中央ライン３、出側ライン４を各々、制御する。
【００２７】
また、各制御装置３０は各々、図２に示す如く、対応する制御指令コンソール４１から出力される制御指令を保持し、一定期間（例えば、対応するラインに設けられた各センサの検出結果を取り込み、制御定数の変更処理を完了させるのに必要な１スキャン分の期間）だけ、遅らせて出力する入力ブロック３１と、入力ブロック３１から出力される制御指令と制御特性“Ｇｐ（ｓ）”の制御対象（鋼板製造ライン１の入側ライン２、中央ライン３、出側ライン４のうち、制御対象となるライン）３２から出力されるフィードバック信号との偏差を演算する減算器３３と、減算器３３から出力される偏差信号を取り込み、制御定数“１／ＴＩｓ”で積分演算を行う制御ブロック３４と、減算器３３から出力される偏差信号を取り込み、制御定数“ＴＤｓ”で微分演算を行う制御ブロック３５と、減算器３３から出力される偏差信号と各制御ブロック３４，３５の出力信号とを加算する加算器３６と、加算器３６の出力信号を取り込み、制御定数“Ｋｐ”で比例演算を行う制御ブロック３７とを備えている。
【００２８】
さらに、各制御装置３０は各々、図２、図３に示す如く、入側ライン２、中央ライン３、出側ライン４別に、ラインの定速度、材料種類、材料厚などの材料データ、制御定数“１／ＴＩｓ”、“ＴＤｓ”、“Ｋｐ”などが記載された定速運転用の制御定数テーブル５０と、入側ライン２、中央ライン３、出側ライン４別に、ライン減速度、材料種類、材料厚などの材料データ、制御定数“１／ＴＩｓ”、“ＴＤｓ”、“Ｋｐ”などがセットされた減速運転用の制御定数テーブル５１と、入側ライン２、中央ライン３、出側ライン４別に、ライン加速度、材料種類、材料厚などの材料データ、制御定数“１／ＴＩｓ”、“ＴＤｓ”、“Ｋｐ”などが記載された加速運転用の制御定数テーブル５２とを持ち、対応する制御指令コンソール４１から出力される制御指令、対応する材料設定コンソール４２から出力される材料データの内容を解析して、定速運転用の制御定数テーブル５０、減速運転用の制御定数テーブル５１、加速運転用の制御定数テーブル５２の中から、対応するラインに最適な制御定数テーブルを選択するとともに、選択した制御定数テーブルの内容を各制御ブロック３４，３５，３７に供給して、これら各制御ブロック３４，３５，３７の制御定数“１／ＴＩｓ”、“ＴＤｓ”、“Ｋｐ”を切り替える運転パターン判定／制御定数設定ブロック３８を備えている。
【００２９】
そして、対応する制御指令コンソール４１から出力される制御指令、または対応する材料設定コンソール４２から出力される材料データなどが切り替えられる毎に、定速運転用の制御定数テーブル５０、減速運転用の制御定数テーブル５１、加速運転用の制御定数テーブル５２の中から、対応するラインに最適な制御定数テーブルを選択するとともに、選択した制御定数テーブルの中から、最適な制御定数“１／ＴＩｓ”、“ＴＤｓ”、“Ｋｐ”を選択して、各制御ブロック３４，３５，３７に供給し、これら各制御ブロック３４，３５，３７の制御定数“１／ＴＩｓ”、“ＴＤｓ”、“Ｋｐ”を切り替える。
【００３０】
また、この動作と並行し、対応する制御指令コンソール４１から出力される制御指令を１スキャン分だけ遅延させながら、制御特性“Ｇｐ（ｓ）”の制御対象（鋼板製造ライン１の入側ライン２、中央ライン３、出側ライン４のうち、制御対象となるライン）３１から出力されるフィードバック信号との偏差を求めた後、この偏差に対し、各制御ブロック３４，３５，３７に設定されている制御定数“１／ＴＩｓ”、“ＴＤｓ”、“Ｋｐ”に応じた演算、例えばＰＩＤ演算などを行って、入側ライン用の制御信号（駆動電圧）、中央ライン用の制御信号（駆動電圧）、出側ライン用の制御信号（駆動電圧）を生成するとともに、これらの各駆動電圧を鋼板製造ライン１の入側ライン２、中央ライン３、出側ライン４に供給し、入側ライン２、中央ライン３、出側ライン４の運転内容を制御する。
【００３１】
次に、図１の構成図、図２の回路ブロック図、図３の模式図を参照しながら、鋼板処理システムの動作を説明する。
【００３２】
まず、各制御指令コンソール４１、各材料設定コンソール４２から出力される速度指示、材料データが変化していない状態では、各制御装置３０の運転パターン判定／制御定数設定ブロック３８によって、各制御ブロック３４，３５，３７にセットされている、前回までの制御定数“１／ＴＩｓ”、“ＴＤｓ”、“Ｋｐ”が引き続き保持される。
【００３３】
また、制御指令コンソール４１から出力され、１スキャン分だけ遅延された制御指令と、制御特性“Ｇｐ（ｓ）”の制御対象（鋼板製造ライン１の入側ライン２、中央ライン３、出側ライン４のうち、制御対象となるライン）３１から出力されるフィードバック信号との偏差に対し、各制御ブロック３４，３５，３７に設定されている制御定数“１／ＴＩｓ”、“ＴＤｓ”、“Ｋｐ”に応じたＰＩＤ演算などが行われて、入側ライン用の制御信号（駆動電圧）、中央ライン用の制御信号（駆動電圧）、出側ライン用の制御信号（駆動電圧）が生成され、各駆動電圧が鋼板製造ライン１の入側ライン２、中央ライン３、出側ライン４に供給されて、亜鉛メッキ鋼板８の製造が維持される。
【００３４】
この状態で、入側ライン２、中央ライン３、出側ライン４のいずれかで、運転内容を変更する必要性、例えば入側ラインで鋼板コイル９，１０のいずれかを交換するときなどのように入側ライン２を一時的に減速させる必要性があるとき、運転員によって、入側ライン２の制御指令コンソール４１が操作されて、入側ライン減速指示が入力される。
【００３５】
これにより、入側ライン２の制御指令コンソール４１から入側ライン２のライン速度を減速させるのに必要なライン減速度（制御指令）が出力され、入側ライン２の制御装置３０に設けられている運転パターン判定／制御定数設定ブロック３８によって、入側ライン２に対応する減速運転用の制御定数テーブル５１の中から、ライン減速度の値に対応する制御定数“１／ＴＩｓ”、“ＴＤｓ”、“Ｋｐ”が選択されて、各制御ブロック３４，３５，３７に供給され、これら各制御ブロック３４，３５，３７の制御定数“１／ＴＩｓ”、“ＴＤｓ”、“Ｋｐ”が切り替えられる。
【００３６】
また、この動作と並行し、入側ライン２の制御装置３０に設けられている入力ブロック３１によって、入側ライン２の制御指令コンソール４１から出力される制御指令が１スキャン分だけ遅延された後、減算器３３によって、鋼板製造ライン１の入側ライン２から出力されるフィードバック信号との偏差が求められる。次いで、この偏差に対し、各制御ブロック３４，３５，３７に設定された、新たな制御定数“１／ＴＩｓ”、“ＴＤｓ”、“Ｋｐ”に応じた演算、例えばＰＩＤ演算などが行われて、入側ライン用の各制御信号（各駆動電圧）が生成され、各駆動電圧が鋼板製造ライン１の入側ライン２に供給される。
【００３７】
この結果、中央ライン３側のライン速度、鋼板張力に対する影響が最小となるように、入側ライン２のライン速度が順次、減速されるとともに、ループカー５によって、入側ライン２のライン速度、鋼板張力と、中央ライン３のライン速度、鋼板張力とが調整されて、入側ライン２→中央ライン３→出側ライン４まで、鋼板１２、亜鉛メッキ鋼板８の張力変動が最小に維持された状態で、入側ライン２のライン速度が順次、下げられ、入側ライン２で鋼板コイル９，１０の交換などが行われる。
【００３８】
この後、入側ライン２での鋼板コイル交換が完了し、入側ライン２を元のライン速度に戻すとき、運転員によって、制御指令コンソール４１などが操作されて、入側ライン加速指示が入力される。
【００３９】
これにより、入側ライン２の制御指令コンソール４１から入側ライン２のライン速度を加速させるのに必要なライン加速度（制御指令）が出力され、入側ライン２の制御装置３０に設けられている運転パターン判定／制御定数設定ブロック３８によって、入側ライン２に対応する加速運転用の制御定数テーブル５２の中から、ライン加速度の値に対応する制御定数“１／ＴＩｓ”、“ＴＤｓ”、“Ｋｐ”が選択されて、入側ライン２の制御装置３０に設けられている各制御ブロック３４，３５，３７に供給され、これら各制御ブロック３４，３５，３７の制御定数“１／ＴＩｓ”、“ＴＤｓ”、“Ｋｐ”が切り替えられる。
【００４０】
また、この動作と並行し、入側ライン２の制御装置３０に設けられている入力ブロック３１によって、入側ラインの制御指令コンソールから出力される制御指令が１スキャン分だけ遅延された後、減算器３３によって、鋼板製造ライン１の入側ライン２から出力されるフィードバック信号との偏差が求められるとともに、この偏差に対し、各制御ブロック３４，３５，３７に設定された、新たな制御定数“１／ＴＩｓ”、“ＴＤｓ”、“Ｋｐ”に応じた演算、例えばＰＩＤ演算などが行われて、入側ライン用の各制御信号（各駆動電圧）が生成され、各駆動電圧が鋼板製造ライン１の入側ライン２に供給される。
【００４１】
この結果、中央ライン３側のライン速度、鋼板張力に対する影響が最小となるように、入側ライン２のライン速度が順次、加速させられるとともに、ループカー５によって、入側ライン２のライン速度、鋼板張力と、中央ライン３のライン速度、鋼板張力とが調整されて、入側ライン２→中央ライン３→出側ライン４まで、鋼板１２、亜鉛メッキ鋼板８の張力変動が最小に維持された状態で、入側ライン２のライン速度が順次、上げられ、元のライン速度に戻される。
【００４２】
このように、実施形態１によれば、入側ライン２、中央ライン３、出側ライン４の１つが選択されて、速度指令などが変更された場合にも、入側ライン２、中央ライン３、出側ライン４の各ライン速度、鋼板各部の張力などを各々、最適化でき、常に高い品質の鋼板を製造することができる。
【００４３】
《実施形態２》
図４は本発明による板状搬送物の連続処理システムが適用された鋼板処理システムの実施形態２を示す構成図である。なお、この図において、図１の各部と対応する部分には、同じ符号が付してある。
【００４４】
実施形態２が実施形態１と異なる点は、各制御指令コンソール４１の出力、各材料設定コンソール４２の出力を各制御装置６０に供給して、各制御装置６０を連係動作させ、入側ライン２、中央ライン３、出側ライン４のいずれか、例えば入側ライン２のライン速度を変更したとき、これに対応するように中央ライン３のライン速度、出側ライン４のライン速度を調整できるようにしたことである。
【００４５】
各制御装置６０は各々、図５に示す如く、対応する制御指令コンソール４１から出力される制御指令を保持し、一定期間（例えば、対応するラインに設けられた各センサの検出結果を取り込み、制御定数の変更処理を完了させるのに必要な１スキャン分の期間）だけ、遅らせて出力する入力ブロック６１と、入力ブロック６１から出力される制御指令と制御特性“Ｇｐ（ｓ）”の制御対象（鋼板製造ライン１の入側ライン２、中央ライン３、出側ライン４のうち、制御対象となるライン）６２から出力されるフィードバック信号との偏差を演算する減算器６３と、減算器６３から出力される偏差信号を取り込み、制御定数“１／ＴＩｓ”で積分演算を行う制御ブロック６４と、減算器６３から出力される偏差信号を取り込み、制御定数“ＴＤｓ”で微分演算を行う制御ブロック６５と、減算器６３から出力される偏差信号と各制御ブロック６４，６５の出力信号とを加算する加算器６６と、加算器６６の出力信号を取り込み、制御定数“Ｋｐ”で比例演算を行う制御ブロック６７とを備えている。
【００４６】
さらに、各制御装置６０は各々、運転パターン判定／制御定数設定ブロック６８を備えている。運転パターン判定／制御定数設定ブロック６８は、図６に示す如く、自ラインの定速度、材料種類、材料厚などの材料データ、他ラインの速度／材料毎に、制御定数“１／ＴＩｓ”、“ＴＤｓ”、“Ｋｐ”などが記載された定速運転用の制御定数テーブル７０（図６（Ａ））、自ラインの減速度、材料種類、材料厚などの材料データ、他ラインの速度／材料毎に、制御定数“１／ＴＩｓ”、“ＴＤｓ”、“Ｋｐ”などが記載された減速運転用の制御定数テーブル７１（同（Ｂ））、自ラインの加速度、材料種類、材料厚などの材料データ、他ラインの速度／材料毎に、制御定数“１／ＴＩｓ”、“ＴＤｓ”、“Ｋｐ”などが記載された加速運転用の制御定数テーブル７２（同（Ｃ））を備えている。
【００４７】
そして、各制御指令コンソール４１から出力される制御指令、各材料設定コンソール４２から出力される材料データの内容を解析して、自ライン用に用意されている定速運転用の制御定数テーブル７０、自ライン用に用意されている減速運転用の制御定数テーブル７１、自ライン用に用意されている加速運転用の制御定数テーブル７２の中から、最適な制御定数テーブルを選択するとともに、選択した制御定数テーブルの中から、最適な制御定数“１／ＴＩｓ”、“ＴＤｓ”、“Ｋｐ”を選択して、各制御ブロック６４，６５，６７に供給し、これら各制御ブロック６４，６５，６７の制御定数“１／ＴＩｓ”、“ＴＤｓ”、“Ｋｐ”を切り替える。
【００４８】
また、この動作と並行し、対応する制御指令コンソール４１から出力される制御指令を１スキャン分だけ遅延させながら、制御特性“Ｇｐ（ｓ）”の制御対象（鋼板製造ライン１の入側ライン２、中央ライン３、出側ライン４のうち、制御対象となるライン）５４から出力されるフィードバック信号との偏差を求めた後、この偏差に対し、各制御ブロック６４，６５，６７に設定されている制御定数“１／ＴＩｓ”、“ＴＤｓ”、“Ｋｐ”に応じた演算、例えばＰＩＤ演算などを行って、入側ライン用の制御信号（駆動電圧）、中央ライン用の制御信号（駆動電圧）、出側ライン用の制御信号（駆動電圧）を生成するとともに、これらの各駆動電圧を鋼板製造ライン１の入側ライン２、中央ライン３、出側ライン４に供給し、入側ライン２、中央ライン３、出側ライン４の運転内容を制御する。
【００４９】
これにより、入側ライン２と中央ライン３との間に介挿されたループカー５によって入側ライン２のライン速度、張力と、中央ライン３のライン速度、張力とが互いに大きく影響し合っている場合でも、また中央ライン３と出側ライン４との間に介挿されたループカー６によって中央ライン３のライン速度、張力と、出側ライン４のライン速度、張力とが互いに大きく影響し合っている場合でも、これらの各影響力を考慮した最適なライン速度、最適な張力で、入側ライン２のライン速度切り替え、中央ライン３のライン速度切り替え、出側ライン４のライン速度切り替えなどを行わせることができる。
【００５０】
このように、この実施形態２によれば、入側ライン２のライン速度、中央ライン３のライン速度、出側ライン４のライン速度などが変更されても、入側ライン２のライン速度、鋼板各部の張力、中央ライン３のライン速度、鋼板各部の張力、出側ライン４のライン速度、鋼板各部の張力などを各々、最適化でき、常に高い品質の亜鉛メッキ鋼板８を製造させることができる。
【００５１】
特に、この実施形態２では、ループカー５，６などの連結装置を使用し、入側ライン２、中央ライン３、出側ライン４の各ライン速度、鋼板各部の張力などの相互影響力を軽減させているので、入側ライン２のライン速度、中央ライン３のライン速度、出側ライン４のライン速度の１つが変更されたとき、他のラインに対し、影響が波及しないようにして、高い品質の亜鉛メッキ鋼板８を製造することができる。
【００５２】
なお、本発明は、亜鉛メッキ鋼板などを連続して製造する鋼板処理システムに限らず、薄鋼板などを連続して製造する鋼板処理システムや、各処理ライン間を搬送される板状搬送物としての紙に対して各処理ラインにて所定の処理を施す抄紙システムなどにも適用することができる。
【符号の説明】
【００５３】
１…鋼板製造ライン
２…入側ライン
３…中央ライン
４…出側ライン
５，６…ループカー
７…鋼板
８…亜鉛メッキ鋼板
９，１０…鋼板コイル
１１…搬送ローラ
１２…鋼板
１３…溶接設備
１４…搬送ローラ
１５…洗浄設備
１６…炉
１７…設備
１８…合金化炉
１９…調質圧延設備
２０…搬送ローラ
２１…搬送ローラ
２２…巻取電動機
２３…亜鉛メッキ鋼板ロール
３０…制御装置
３１…入力ブロック
３３…減算器
３４，３５，３７…制御ブロック
３６…加算器
３８…運転パターン判定／制御定数設定ブロック
４１…制御指令コンソール
４２…材料設定コンソール
５０，５１，５２…制御定数テーブル
６０…制御装置
６１…入力ブロック
６３…減算器
６４，６５，６７…制御ブロック
６６…加算器
６８…運転パターン判定／制御定数設定ブロック
７０，７１，７２…制御定数テーブル
【図１】
2014034455.tif 000003
【図２】
2014034455.tif 000004
【図３】
2014034455.tif 000005
【図４】
2014034455.tif 000006
【図５】
2014034455.tif 000007
【図６】
2014034455.tif 000008
【図７】
2014034455.tif 000009